(57)【要約】      （修正有）【課題】展開された後、上昇機構を介してユーザーにより把持および閲覧されることに便利なものとして配列されて、ユーザーの操作する利便性が向上する手持ち電子装置を提供する。【解決手段】第１ボディと第２ボディと上昇機構とを含む。第２ボディが第１ボディの下に積み重ねられる。第１ボディに対向する第２ボディの一側が凹部を有する。上昇機構が前記第１ボディおよび前記第２ボディ間に連接され、第１ボディにスライド可能に連結され、第１ボディならびに第２ボディが相対的に展開した時、第１ボディが上昇機構に対してスライドする。第１ボディが予め設定された位置に達した時、第１ボディの一端が凹部に入り、上昇機構が第１ボディを第２ボディに対して回転するよう駆動するとともに、第１ボディの上表面および第２ボディの上表面が１つの夾角を形成する。【選択図】図１
0003162363.tif 000002
【実用新案登録請求の範囲】
【請求項１】
第１ボディと、
前記第１ボディの下に積み重ねられ、前記第１ボディに対向する一側が凹部を有する第２ボディと、
前記第１ボディおよび前記第２ボディ間に連接され、かつ前記第１ボディに滑動可能に連結される上昇機構とを備え、
そのうち、前記第１ボディならびに前記第２ボディが相対的に展開した時、前記第１ボディが前記上昇機構に対してスライドするとともに、前記第１ボディが予め設定された位置に達する時、前記第１ボディの一端が前記凹部に入り、前記上昇機構が前記第１ボディを前記第２ボディに対して回転するよう駆動し、かつ前記第１ボディの上表面および前記第２ボディの上表面が１つの夾角を形成するものである手持ち電子装置。
【請求項２】
前記第１ボディが前記凹部に入った後、前記第１ボディの前記上表面および前記第２ボディの前記上表面が１つの連続表面を形成するものである請求項１記載の手持ち電子装置。
【請求項３】
前記上昇機構が、上昇モジュールと、第１プレートと、第２プレートとを備え、前記第２プレートが前記第１ボディ上に固定され、前記第１プレートが前記上昇モジュール上に固定され、かつ前記第１プレートが前記第２プレートとスライド可能に連結される請求項１記載の手持ち電子装置。
【請求項４】
前記上昇モジュールが、複数のリンクを備えるとともに、各リンクの２端がそれぞれ前記第２ボディおよび前記第１プレートにピボット付けされる請求項３記載の手持ち電子装置。
【請求項５】
前記リンクが、４バー・リンケージとして構成されるものである請求項４記載の手持ち電子装置。
【請求項６】
前記上昇機構が更に、前記第２ボディおよび前記リンケージ間に連接する弾性要素を備える請求項４記載の手持ち電子装置。
【請求項７】
前記弾性要素が、ねじりバネを含むものである請求項６記載の手持ち電子装置。
【請求項８】
前記上昇モジュールが、ねじりヒンジを含むものである請求項３記載の手持ち電子装置。
【考案の詳細な説明】
【技術分野】
【０００１】
この考案は、一般に、手持ち電子装置（handheld electronic device）および上昇機構（rising mechanism）に関し、特に、２つのボディが展開して１つの夾角を形成する手持ち電子装置、ならびに２つのボディを展開させて１つの夾角を形成できる上昇機構に関する。
【背景技術】
【０００２】
近年、情報技術の発展に伴い、日常生活において、電子装置から必要とする情報を獲得することがますます容易になっている。更に、産業技術の進歩により、様々なタイプの手持ち電子装置が軽く薄く短く小さい製品という潮流へ向けて発展している。携帯できる特性および利点により、手持ち電子装置は、広く受け入れられ、かつ日常生活に利用されている。
【０００３】
セルホーン（cell phones）を実例に挙げると、セルホーンを便利に持ち運ぶとともに、様々な使用の好み及び要求物のために、従来の直立ホーン（bar phones  ストレート式）に加えて、セルホーンもまたクラムシェルホーン（clamshell phones  折り畳み式）・ツイストホーン（twist phones）・スライドホーン（slide phones）および他の電話の通常タイプを含む。スライドホーンについては、その上ボディおよび下ボディが積み重ねられるとともに、互いにスライドでき、異なる操作モード、例えば、開放モードおよび閉鎖モードが達成できる。積み重ねられた上下ボディは、スライドホーン全体の容積を削減する助けとなり、かつ上下ボディが特定の操作モードにおいて展開される。
【考案の概要】
【考案が解決しようとする課題】
【０００４】
ここで、キーボードを有する２層（double-layer）スライドホーンを実例に挙げれば、スライドホーンは、以下のやり方で操作される。力量がディスプレイスクリーンをキーボードの一側にスライドさせるために加えられ、かつキーボードがユーザーの容易な入力のために露出される。しかし、このデザインにおいて、ディスプレイスクリーンおよびキーボードが平行に維持されており、ユーザーは、絶えず姿勢を変えたり又は手持ち電子装置を移動させたりして、キーボードならびにスクリーンを見ることを介して入力の要求を満足させる。
【０００５】
そこで、この考案の目的は、手持ち電子装置および手持ち電子装置に応用できる上昇機構を提供することにあり、展開された後、電子装置が上昇機構を介してユーザーにより把持および閲覧されることに便利なものとなるよう配列され、ユーザーの操作する利便性が向上する。
【課題を解決するための手段】
【０００６】
出願は、手持ち電子装置を提供し、それが第１ボディと第２ボディと上昇機構とを含む。第２ボディが第１ボディの下に積み重ねられる。第１ボディに対向する第２ボディの一側が凹部を有する。上昇機構が凹部中に配置されるとともに、第１ボディおよび第２ボディ間に連接される。上昇機構が第１ボディにスライド可能に連結され、第１ボディならびに第２ボディが相対的に展開した時、第１ボディが上昇機構に対してスライドする。第１ボディが予め設定された位置に達した時、第１ボディの一端が凹部に入り、上昇機構が第１ボディを第２ボディに対して回転するよう駆動し、かつ第１ボディの上表面および第２ボディの上表面が１つの夾角を形成する。
【０００７】
出願が上昇機構を提供し、それが第１ボディおよび第２ボディ間を連接するために採用されるとともに、スライド可能に第１ボディに連結される。第１ボディならびに第２ボディが相対的に展開された時、第１ボディが上昇機構に対してスライドする。第１ボディが予め設定された位置に達した後、第１ボディの一端が凹部に入り、上昇機構が第１ボディを第２ボディに対して回転するよう駆動し、かつ第１ボディの上表面および第２ボディの上表面が１つの夾角を形成する。
【０００８】
上記観点から、出願の手持ち電子装置を使用する時、ユーザーが力量を加えて、第２ボディおよび第１ボディが相対的に展開する。第１ボディが予め設定された位置に達した後、上昇機構が第１ボディを第２ボディに対して回転するよう駆動し、かつ第２ボディの凹部に進入して、第２ボディおよび第１ボディが１つの夾角を形成する。それによって、手持ち電子装置が容易に把持されるとともに閲覧され、ユーザの操作のための利便性が向上する。
【考案の効果】
【０００９】
つまり、この出願にかかる手持ち電子装置中、第１ボディおよび第２ボディは、上昇機構を介して相対的に展開した後に１つの夾角を形成し、ユーザーが手持ち電子装置を容易に把持するとともに観察できるようにするので、ユーザの操作のための利便性が向上する。また、この出願に従って、手持ち電子装置が展開した後、第１ボディの上表面と第２ボディの上表面とが連続した湾曲表面を形成するため、手持ち電子装置の外観を簡潔なものとする。
【図面の簡単な説明】
【００１０】
【図１】この出願の実施形態にかかる手持ち電子装置を示す概略的な分解斜視図である。
【図２Ａ】図１の手持ち電子装置の操作プロセスを順番に示す斜視図である。
【図２Ｂ】図１の手持ち電子装置の操作プロセスを順番に示す斜視図である。
【図２Ｃ】図１の手持ち電子装置の操作プロセスを順番に示す斜視図である。
【図３Ａ】図２Ａの操作プロセスに対応する手持ち電子装置を示す側面図である。
【図３Ｂ】図２Ｂの操作プロセスに対応する手持ち電子装置を示す側面図である。
【図３Ｃ】図２Ｃの操作プロセスに対応する手持ち電子装置を示す側面図である。
【図４Ａ】図２Ａの操作プロセスに対応する手持ち電子装置の断面構造を示す側面断面図である。
【図４Ｂ】図２Ｂの操作プロセスに対応する手持ち電子装置の断面構造を示す側面断面図である。
【図４Ｃ】図２Ｃの操作プロセスに対応する手持ち電子装置の断面構造を示す側面断面図である。
【考案を実施するための形態】
【００１１】
以下、この考案を実施するための形態を図面に基づいて説明する。
図１は、この出願の実施形態にかかる手持ち電子装置を示す概略的な分解斜視図である。図１において、手持ち電子装置１００は、第１ボディ１１０と、第２ボディ１２０と、上昇機構１３０とを含む。第１ボディ１１０および第２ボディ１２０は、例えば、スライドホーンの上下ボディである。第２ボディ１２０が第１ボディ１１０の下に積み重ねられ、第１ボディ１１０に対向する第２ボディ１２０の一側が凹部１２２を有する。上昇機構１３０が第１ボディ１１０ならびに第２ボディ１２０間に連接される。
【００１２】
この実施形態中、上昇機構１３０が上昇モジュール１３６と第１プレート１３２と第２プレート１３４とを含む。第２プレート１３４が第１ボディ１１０上に固定されるとともに、第１プレート１３２が上昇モジュール１３６上に固定される。第２プレート１３４が第１ボディ１１０および第１プレート１３２間に連接され、かつ第１プレート１３２がスライド可能に第２プレート１３４と連結されて、第１ボディ１１０が第２ボディ１２０に対してスライドできる。この実施形態の上昇機構１３０は、例えば、４バー・リンケージ（four bar linkage）であり、第１リンク１３６ａと第２リンク１３６ｂとを含む。第１リンク１３６ａと第２リンク１３６ｂとは、それぞれ第１プレート１３２および第２ボディ１２０間にピボット付けされ、そのうち、第２リンク１３６ｂが第１プレート１３２の一端１３２ａに連接されるとともに、第１リンク１３６ａが第１プレート１３２の他端に連接される。また、第１リンク１３６ａと第２リンク１３６ｂとが異なる長さを有し、第２ボディ１２０に対して軸回転（pivotally rotating）する時、第１リンク１３６ａおよび第２リンク１３６ｂが第１プレート１３２を第２ボディ１２０の凹部１２２へ斜めに進入するよう駆動する。注意すべきは、この実施形態の上昇モジュール１３６が他の機構に置き換えられて第２ボディ１２０を上昇することである。例えば、上昇モジュール１３６がねじれヒンジ（torsion hinge）に置き換えられて、第２ボディ１２０を上昇させる。
【００１３】
また、上昇機構１３０が更に第２ボディ１２０および第１リンク１３６ａ間に連接される弾性要素１４０を含む。弾性要素１４０がねじりバネ（torsion spring）を含み、第１リンク１３６ａを第２ボディ１２０に対して軸回転させる力量を提供する。他の弾性要素（図示せず）は、例えば、巻きバネ（wind spring）・コイルバネ、または半自動効果を発生させることのできる他の弾性要素が第２プレート１３４および第１プレート１３２間に配置されて、第１ボディ１１０および第２ボディ１２０が相対的に展開または閉鎖する時、求められる復帰力および駆動力を提供する。言い換えれば、手持ち電子装置１００は半自動スライド機能（semi-auto sliding function）を有する。
【００１４】
図２Ａ〜図２Ｃは、上記実施形態（図１）の手持ち電子装置１００の操作プロセスを順番に示す斜視図であり、図３Ａ〜図３Ｃは、図２Ａ〜図２Ｃの操作プロセスに対応する手持ち電子装置１００を示す側面図である。更に、手持ち電子装置１００の上昇機構１３０の運用をより明瞭に記述するために、図４Ａ〜図４Ｃは、更に、図２Ａ〜図２Ｃの操作プロセスに対応する手持ち電子装置の断面構造を示す側面断面図であるが、第１ボディ１１０が省略されている。
【００１５】
図２Ａ〜図２Ｃは、手持ち電子装置１００の第１ボディ１１０および第２ボディ１２０が互いに重なり合う状態から相対的に展開する状態へ変化するプロセスを示している。最初に、図２Ａと図３Ａと図４Ａとにおいて、手持ち電子装置１００は、積み重ね状態にある。即ち、第１ボディ１１０および第２ボディ１２０が互いに重なり合っているとともに、第１プレート１３２・第１リンク１３６ａおよび第２リンク１３６ｂが初期位置に位置している。ここで、第１ボディ１１０がまだ第２ボディ１２０上に位置しており、弾性要素１４０により第１リンク１３６ａへ加えられるトルク  （torque）が機能していない。
【００１６】
次に、図２Ｂと図３Ｂと図４Ｂとにおいて、ユーザーが力量を力量適用方向Ｈ１へ加えて第１ボディ１１０を所定距離だけ押すと、第２プレート１３４が第１プレート１３２に対して移動する。第２プレート１３４が予め設定された位置に到達した後、第２プレート１３４および第１プレート１３２間の弾性要素がもともと蓄積している潜在エネルギーを放出するので、第２プレート１３４を第２プレート１３４上に位置する第１ボディ１１０と一緒に駆動して、第２ボディ１２０および第１プレート１３２に対して移動するため、半自動スライド効果を達成する。
【００１７】
その後、図２Ｃと図３Ｃと図４Ｃとにおいて、第１ボディ１１０および第１プレート１３２が完全に展開して図２Ｂと図３Ｂと図４Ｂとに到達すると、第１ボディ１１０の一端１１２が凹部１２２の上方位置にスライドし、かつ弾性要素１４０により第１リンク１３６ａへ加えられるモーメントが第１リンク１３６ａを駆動して第２ボディ１２０に対して方向Ｒ１へ軸回転される。しかし、たとえ弾性要素１４０がこの実施形態中に配置されていなくても、同様な効果が、ユーザーにより第１ボディ１１０を押す下方力量（downward force）を介して、達成される。
【００１８】
この実施形態中、第２リンク１３６ｂと第１リンク１３６ａとが異なる長さを有するので、第１リンク１３６ａの駆動力ならびに第２リンク１３６ｂの連動のもと、第１プレート１３２が第１ボディ１１０の一端１１２と一緒に第２ボディ１２０の凹部１２２へ斜めに進入し、かつ凹部１２２中に位置する。言い換えれば、第１ボディ１１０と第２ボディ１２０とが夾角θを保持する。このようにして、手持ち電子装置１００を操作する時、ユーザーは、第２ボディ１２０を把持するとともに、第１ボディ１１０上のディスプレイ・インターフェースを観察するため、ユーザーの操作がより便利なものとなる。
【００１９】
また、この実施形態中、第１ボディ１１０の上表面１１０ａと第２ボディ１２０の上表面１２０ａとが連続した表面を形成する。言い換えれば、第１ボディ１１０の上表面１１０ａおよび第２ボディ１２０の上表面１２０ａは、ほとんど高度差がない。とりわけ、第２ボディ１２０の凹部１２２の深さ・第１リンク１３６ａと第２リンク１３６ｂとの長さ及び移動経路・第１ボディ１１０の厚さ並びに他の設計パラメーターを調整することによって、上記した設計要件が達成され、手持ち電子装置１００の美感およびユーザーの操作期間における手触り感を増大させる。
【００２０】
別な観点から、展開した状態の手持ち電子装置１００を積み重ね状態へ復帰させようとする時、ユーザーは、プロセスを逆転させるだけでよく、相対的に展開している第１ボディ１１０および第２ボディ１２０が互いに重なり合った状態に復帰する。簡単には、図２Ｃと図３Ｃと図４Ｃとに示した状態において、一端１１２に対する第１ボディ１１０の他端が下方へ押されて、第１プレート１３２および第１ボディ１１０の一端１１２が第２ボディ１２０の凹部１２２から離れるとともに、第１プレート１３２・第２プレート１３４および第１ボディ１１０が、図２Ｂと図３Ｂと図４Ｂとに示すような水平状態に復帰する。次に、第１ボディ１１０がＨ１と逆の方向へ押されて、第１ボディ１１０および第２プレート１３４が、図２Ｂと図３Ｂと図４Ｂとに示した位置から図２Ａと図３Ａと図４Ａとに示した初期位置へ移動でき、第２プレート１３４および第１プレート１３２間の弾性要素もまた半自動スライド効果を提供する。従って、第２ボディ１２０に対して所定距離だけ移動した後、第１ボディ１１０が、弾性要素の弾性復帰力を介して、第２ボディ１２０上に積み重ねられれた状態へ自動的に復帰する。
【００２１】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案登録請求の範囲および、それと均等な領域を基準として定めなければならない。
【符号の説明】
【００２２】
１００  手持ち電子装置
１１０  第１ボディ
１１０ａ，１２０ａ  上表面
１１２  第１ボディの一端
１２０  第２ボディ
１２２  凹部
１３０  上昇機構
１３２  第１プレート
１３２ａ  第１プレートの一端
１３４  第２プレート
１３６  上昇モジュール
１３６ａ  第１リンク
１３６ｂ  第２リンク
１４０  弾性要素
θ  夾角
Ｈ１  力量適用方向
Ｒ１  （軸回転）方向
【図１】
0003162363.tif 000003
【図２Ａ】
0003162363.tif 000004
【図２Ｂ】
0003162363.tif 000005
【図２Ｃ】
0003162363.tif 000006
【図３Ａ】
0003162363.tif 000007
【図３Ｂ】
0003162363.tif 000008
【図３Ｃ】
0003162363.tif 000009
【図４Ａ】
0003162363.tif 000010
【図４Ｂ】
0003162363.tif 000011
【図４Ｃ】
0003162363.tif 000012
【手続補正書】
【提出日】平成22年6月28日(2010.6.28)
【手続補正１】
【補正対象書類名】実用新案登録請求の範囲
【補正対象項目名】請求項６
【補正方法】変更
【補正の内容】
【請求項６】
前記上昇機構が更に、前記第２ボディおよび前記リンク間に連接する弾性要素を備える請求項４記載の手持ち電子装置。